(57)【特許請求の範囲】
【請求項１】
枠体を組んでなり建物開口部に設置される枠体と、枠体に対して開閉自在に支持される障子と、障子の開閉を操作するワイヤ部材と、を備え、
枠体を構成する縦枠は、外気に連通する中空部を備えるとともに、ワイヤ部材を縦枠の一つの面から縦枠の他の面に案内するワイヤ通し部品を備えており、
ワイヤ通し部品は、少なくとも一部が中空部に臨むとともに、ワイヤ部材を案内するワイヤ通路と中空部とを連通する開口部が形成されている
ことを特徴とする建具
【発明の詳細な説明】
【技術分野】
【０００１】
建物開口部に設けられる枠体に対して、内倒しもしくは外倒し開閉自在に障子を支持する建具に関する。
【背景技術】
【０００２】
従来、排煙窓等には、内倒しもしくは外倒し窓が採用されており、通常天井近くの高い位置に配置されることから、ワイヤ等の操作手段を用いて障子の開閉操作を行っている。
このようにワイヤを使用して窓の開閉を操作するには、枠体と障子との間にワイヤを取り回す必要があり、ワイヤの方向を変更する場合などにはワイヤ通し部品等を用いてその中にワイヤを案内してワイヤを必要な部位に取り回している。
【先行技術文献】
【特許文献】
【０００３】
【特許文献１】特許第３１７８６９６号公報
【発明の概要】
【発明が解決しようとする課題】
【０００４】
しかし、排煙窓等が開放しているときなどの降雨により、もしくは結露等によってワイヤ通し部品の内部に水分が侵入することがあり、そのような場合には、室内外の圧力の関係によっては、ワイヤ通し部品内部の水分が室内に侵入したり、また、ワイヤの腐食の原因になることがあった。
【０００５】
本発明は、上記の事情を鑑みたものであり、ワイヤ部材の枠体への掛け回しをスムーズにするとともに、排煙窓のワイヤ部材を掛け回すワイヤ通し部品の内部に水分が溜まることを防止し、たとえ、溜まることがあっても、溜まった水の室内への侵入を防止することを目的とする。
【課題を解決するための手段】
【０００６】
本発明は、枠体を組んでなり建物開口部に設置される枠体と、枠体に対して開閉自在に支持される障子と、障子の開閉を操作するワイヤ部材と、を備え、枠体を構成する縦枠は、外気に連通する中空部を備えるとともに、ワイヤ部材を縦枠の一つの面から縦枠の他の面に案内するワイヤ通し部品を備えており、ワイヤ通し部品は、少なくとも一部が中空部に臨むとともに、ワイヤ部材を案内するワイヤ通路と中空部とを連通する開口部が形成されていることを特徴とする。
【発明の効果】
【０００７】
本発明によれば、障子を開閉するワイヤ部材をワイヤ通し部品によって枠体にスムーズに掛け回すことができ、また、ワイヤ通し部品の内部に侵入した水分を室外にスムーズに排水することができるので、室内への水の浸入を防止することができ、また、ワイヤの腐食を防止することができる。
【図面の簡単な説明】
【０００８】
【図１】本発明の実施形態に係る内倒し窓の図であり、（ａ）は内倒し窓全体の内観図、（ｂ）は内倒し窓のワイヤ通し部品が装着された部位の拡大内観図である。
【図２】本発明の実施形態に係る内倒し窓の縦断面図である。
【図３】本発明の実施形態に係る内倒し窓の図であり、（ａ）は全体横断面図、（ｂ）は左縦框のワイヤ通し部品が取り付けられる部位の横断面図である。
【図４】本発明の実施形態に係る内倒し窓に取り付けられるワイヤ通し部品を構成する内周側通し部材の図であり、（ａ）は内周側通し部材の平面図、（ｂ）は内周側通し部材の側面図（取り付けられた内周側通し部材を外周側から見た図）、（ｂ）は内周側通し部材の正面図（取り付けられた内周側通し部材を室内側から見た図）、（ｄ）は図４（ｃ）におけるａ−ａ断面図である。
【図５】本発明の実施形態に係る内倒し窓に取り付けられるワイヤ通し部品を構成する室内側通し部材の図であり、（ａ）は室内側通し部材の平面図、（ｂ）は室内側通し部材の側面図（取り付けられた室内側通し部材を外周側から見た図）、（ｂ）は室内側通し部材の正面図（取り付けられた室内側通し部材を室内側から見た図）である。
【図６】本発明の実施形態に係る内倒し窓に取り付けられるワイヤ通し部品の分解図であり、（ａ）ワイヤ通し部品を構成する内周側通し部材の分解図であり、（ｂ）ワイヤ通し部品を構成する室内側通し部材の分解図である。
【発明を実施するための形態】
【０００９】
（建具の全体構成）
本発明の建具を、建物開口部に取り付けられる枠体に対して、障子を内倒し開閉自在に支持する内倒し窓の実施形態を用いて説明する。
本発明の実施形態に係る建具は、図１乃至３に示すように、上枠１１，下枠１２及び左、右縦枠１３，１４を四周に組んでなり建物開口部に配置される枠体１に対して、上框２１，下框２２及び左、右縦框２３，２４を四周に組んで内周にガラス等パネルを装着してなる障子２を、障子２の下辺を軸にして室内側に開放する内倒し窓として構成されており、ワイヤ部材４を使用して窓の開閉を操作している。
【００１０】
枠体１を構成する上枠１１は、図２に示すように、建物開口部に固定され枠体１の内周面を形成する中空の上枠本体部１１１と、上枠本体部１１１の室外側下面より下方に垂下される室外側垂下壁部１１２と、上枠本体部１１１の室内外方向やや室内寄りから下方に垂下され、室内側面に気密材を保持する気密材取付壁１１３とからなる。
下枠１２は、建物開口部に固定され枠体１の内周面を形成するとともに室外側下方に中空の水切り部を有する下枠本体部１２１と、下枠本体部１２１の室内側に立ち上がる中空構造の立上壁１２２と、立上壁１２２に取り付けられて上方に延びる下枠補助枠１２３とから構成されている。
下枠補助枠１２３は、その上方室内側に障子２を内倒し自在に支持する支持部１２３ａを有するとともに、上方室外側には、室内側面に気密材を保持する気密材保持片１２３ｂを有している。
【００１１】
枠体１を構成する左右の縦枠１３、１４は、図３に示すように、略同一形状をなしており、それぞれ建物開口部に固定され枠体１の内周面を形成する左、右縦枠本体部１３１，１４１と、左、右縦枠本体部１３１，１４１の内周面の室外側部位に形成される室外側中空部１３２，１４２と、室外側中空部１３２，１４２から内周方向に延設される左、右外壁部１３３，１４３と、左、右縦枠本体部１３１，１４１の内周面の室内外方向やや室内寄りの部位から内周方向に延設され、室内側面に気密材を保持する気密材取付壁１３４，１４４とから構成されている。
【００１２】
障子２を構成する上框２１は、図２に示すように、障子２の上方外周面を形成する中空部の内周側にガラス間口２１ａを有する上框本体部２１１と、上框本体部２１１の外周面の室内側端より上方に延設される上框室内壁部２１２とから構成されている。
障子２を構成する下框２２は、障子２の下方外周面を形成し、内周側にガラス間口２２ａを構成する室外側間口壁２２１ａを有する下框本体部２２１と、下框本体部２２１の外周側室外側端より下方に延接される室外側外周壁２２２と、下框本体部２２１の室内側端から下方に設けられる開閉軸受部２２３と、下框本体部２２１の室内側内周面に取り付けられてガラス間口を構成する押縁２２４とから形成されている。
【００１３】
障子２を構成する左右の縦框２３、２４は、図３に示すように、略同一形状をなしており、それぞれ障子２の外周面を形成する中空部の室外側端内周面にガラス間口２３ａ，２４ａを構成する室外側間口壁２３１ａ，２４１ａを有してなる左、右縦框本体部２３１，２４１と、左、右縦框本体部２３１，２４１の室内側端から外周方向に延設される室内側壁２３２，２４２と、左、右縦框本体部２３１，２４１の室内側内周面に取り付けられてガラス間口を構成する押縁２３３，２４３とから構成されている。
そして、枠体１の下枠１２の支持部１２３ａに対して、障子２の下框２２の開閉軸受部２２３を可動自在に係合することで、障子２が枠体１に対して内倒し自在に支持されて、下枠１２の支持部１２３ａを中心にして障子２が開閉自在に支持される。
【００１４】
（ワイヤ通し部品の構成）
本実施形態にかかる内倒し窓の枠体１には、障子２の開閉操作のためのワイヤ部材４が掛け回されており、図１（ｂ）に示すように、障子２等に掛け回されたワイヤ部材４の先端は枠体１の左縦枠１３の内周面から左縦枠１３内部に案内されたのち、左縦枠１３の室内側面から出て下方に向かい、操作者が操作することのできる高さにまで案内されている。
そして、左縦枠１３には、ワイヤ部材４を左縦枠１３の内周面から室内側面に案内するためのワイヤ通し部品５が取り付けられている。以下、ワイヤ通し部品５について説明する。
【００１５】
ワイヤ通し部品５は、図２，３に示すように、左縦枠１３の室外側中空部１３２に固定され、左縦枠１３の内周側から導入されるワイヤ部材４を左縦枠１３の室内側に案内する内周側通し部材５１と、左縦枠１３の左縦枠本体部１３１の室内側面に固定され、左縦枠１３の室内側に案内されたワイヤ部材４を左縦枠１３の室内側面から下方に向かって案内する室内側通し部材５２から構成されている。
内周側通し部材５１は、図４に示すように、２カ所にビス孔５１１ａを有する固定板部５１１と、固定板部５１１の一面に開口して他面より突出して水平状態で湾曲しながら延びる円弧状ガイド部５１２と、固定板部５１１の他面と円弧状ガイド部５１２の内周との間に設けられた水平リブ部５１３とから構成されている。
円弧状ガイド部５１２の内部には、ワイヤ部材４を通すワイヤ通路５ａが形成されており、円弧状ガイド部５１２の内周側面には、ワイヤ通路５ａ内部と外部とを連通する開口部５１２ａが形成されているとともに、固定板部５１１と反対側の先端には、接合部５１２ｂが形成されている。
【００１６】
室内側通し部材５２は、図５に示すように、２カ所にビス孔５２１ａを有する短尺状の固定板部５２１と、固定板部５２１の一面の長さ方向略中央位置から湾曲しながら固定板部５２１に沿うように延設されるワイヤ取出部５２２と、固定板部５２１の他面から直角に延びる直線状ガイド部５２３とから構成されている。ワイヤ取出部５２２及び直線状ガイド部５２３の内部には、それぞれワイヤを通すワイヤ通路５ａが連続して形成されているとともに、固定板部５２１と反対側の先端には、接合部５２３ａが形成されている。
【００１７】
内周側通し部材５１及び室内側通し部材５２は、それぞれ二部材により形成されている。
図６（ａ）に示すように、内周側通し部材５１は、固定板部５１１、水平リブ部５１３、及び円弧状ガイド部５１２の略半分である第１円弧状ガイド部分５１４とで形成される第１内周側通し部材５１ａと、円弧状ガイド部５１２の第１円弧状ガイド部分５１４とは反対の略半分である第２円弧状ガイド部分５１５により構成される第２内周側通し部材５１ｂとから形成されている。
第１内周側通し部材５１ａの第１円弧状ガイド部分５１４の固定板部５１１側には挿入口５１４ａが設けられるとともに、第１円弧状ガイド部分５１４の他側には係止部５１４ｂが設けられている。
【００１８】
第２内周側通し部材５１ｂの一端側には、挿入部５１５ａが設けられるとともに、他端側には、連結首部５１５ｂが設けられており、第１内周側通し部材５１ａの挿入口５１４ａに第２内周側通し部材５１ｂの挿入部５１５ａを挿入するとともに、連結首部５１５ｂを係止部５１４ｂに嵌め込むことにより、第１内周側通し部材５１ａと第２内周側通し部材５１ｂとが一体的に連結され、内部にワイヤ通路５ａを有する内周側通し部材５１が形成される。
【００１９】
一方、図６（ｂ）に示すように、室内側通し部材５２は、固定板部５２１、ワイヤ取出部５２２の略半分である第１ワイヤ取出部５２４、及び直線状ガイド部５２３の略半分である第１直線状ガイド部分５２５とで形成される第１室内側通し部材５２ａと、ワイヤ取出部５２２の第１ワイヤ取出部５２４とは反対の略半分である第２ワイヤ取出部５２６と直線状ガイド部５２３の第１直線状ガイド部分５２５とは反対の略半分である第２直線状ガイド部分５２７で構成される第２室内側通し部材５２ｂとから形成されている。
【００２０】
第１室内側通し部材５２ａの固定板部５２１の第１直線状ガイド部分５２５側には凹部５２１ｂが形成されているとともに第１直線状ガイド部分５２５の反固定板部５２１側端部には、挿入部５２５ａが設けられている。
第２室内側通し部材５２ｂの第２ワイヤ取出部５２６には取付片部５２６ａが形成されており、第２直線状ガイド部分５２７の端部には、挿入口５２７ａが設けられている。
【００２１】
そして、第１室内側通し部材５２ａの凹部５２１ｂに第２室内側通し部材５２ｂの第２ワイヤ取出部５２６及び取付片部５２６ａを嵌め込むとともに、第１室内側通し部材５２ａの挿入部５２５ａを第２室内側通し部材５２ｂの挿入口５２７ａに嵌め込み、取付片部５２６ａを固定板部５２１に対してビス等の固定部材ｂにより固定することで一体的に連結され、内部にワイヤ通路５ａを有する室内側通し部材５２が形成される。
【００２２】
（ワイヤ通し部品の取り付け）
ワイヤ通し部品５を左縦枠１３に固定する固定方法を説明する。
左縦枠１３の室外側中空部１３２のワイヤ通し部品５が取り付けられる部位には、図３（ｂ）に示すように、左縦枠１３の室外側中空部１３２を貫通する貫通孔１３２ａが形成されており、ワイヤ通し部品５の内周側通し部材５１の円弧状ガイド部５１２を内周側から挿入することができる。貫通孔１３２ａは、見込み方向に長い長孔に形成されており、見込み方向に湾曲する円弧状ガイド部５１２の挿入を可能にするとともに、円弧状ガイド部５１２の見込み方向の位置調節を可能にしている。
【００２３】
また、左縦枠１３の室内側面のワイヤ通し部品５が取り付けられる部位には、図３（ｂ）に示すように、左縦枠１３の左縦枠本体部１３１を貫通する貫通孔１３１ａが形成されており、ワイヤ通し部品５の室内側通し部材５２の直線状ガイド部５２３を室内側から挿入することができる。
そして、左縦枠１３の内部において、室外側中空部１３２の貫通孔１３２ａから挿入された内周側通し部材５１の接合部５１２ｂと、室内側面の貫通孔１３１ａから挿入された室内側通し部材５２の接合部５２３ａとを接合した状態において室内側通し部材５２の固定板部５２１を室内側壁にビス等の固定手段により固定するとともに、内周側通し部材５１の固定板部５１１を室外側中空部１３２の内周壁にビス等の固定手段により固定することにより、ワイヤ通し部品５を左縦枠１３に確実に固定することができる。
【００２４】
（ワイヤ通し部品の排水機能）
本実施形態にかかる内倒し窓は、その開閉操作をワイヤ部材によって行っており、ワイヤ部材４の枠内（左縦枠内）での掛け回しにワイヤ通し部品５を用いることによって、ワイヤ部材の案内に滑車等を使う必要がなく、安定した状態で簡潔に行うことができるが、ワイヤ通し部品５の向きによってはワイヤ通し部品５内に水が浸入し、その水が排水されない可能性がある。
そこで、本実施形態の内倒し窓においては、ワイヤ通し部品５に対しての排水機能を備えている。
【００２５】
左縦枠１３には、図３に示すように、左縦枠本体部１３１の内周面の室外側部位に室外側中空部１３２が形成されており、室外側中空部１３２は下端を開放するなどして中空部内を外気に開放されている。そして、ワイヤ部材４を案内するワイヤ通し部品５を左縦枠１３に設置するに際して、室外側中空部１３２を貫通するように配置するとともに、室外側中空部１３２内においてワイヤ通路５ａに連通する開口部５１２ａを形成することによって、ワイヤ通し部品５内部に侵入した水を室外側中空部１３２内に良好に排水することができるように構成されている。
【００２６】
具体的には、枠体１を組むに際して、左、右縦枠１３，１４の内周面に対して上、下枠１１，１２の端面を突き当ててビス等の固定手段により四周に枠組しているが、その際、左、右縦枠１３，１４の室外側中空部１３２，１４２の下端を下枠１２の上面に載置するとともに、室外側中空部１３２，１４２の下端が載置された部位に開放孔を形成するなどして、室外側中空部１３２，１４２を外気に開放された状態としている。なお、室外側中空部１３２，１４２の下端を下枠１２上面に載置した状態で室外側中空部１３２，１４２が開放された状態であれば、特に開放孔等を形成する必要はない。
【００２７】
そして、左縦枠１３内を取り回されるワイヤ通し部品５は、室外側中空部１３２を貫通するように配置されるとともに、図４（ｃ），（ｄ）に示すように、ワイヤ通し部品５を構成する室内側から遠い部材である内周側通し部材５１の円弧状ガイド部５１２にワイヤ通路５ａを外部と連通する開口部５１２ａが形成されている。開口部５１２ａは、ワイヤ通路５ａの直径よりも大きな開口寸法をもって形成されており、図４（ｄ）に示すように、ワイヤ通し部品５が配置された際に、ワイヤ通路５ａから開口部５１２ａに向かって下方に傾斜する排水通路が形成されることになり、ワイヤ通路５ａ内に浸入した水は排水経路を通ってすみやかに室外側中空部１３２内に排水される。
【００２８】
室外側中空部１３２内に排水された水は、室外側中空部１３２内を通って下枠１２の上面に至り、下枠１２上面に形成された排水孔等を通って屋外に排水されることとなる。
【００２９】
以上のように、本実施形態の内倒し窓においては、障子を開閉操作するワイヤ部材を縦枠の内周面と室内側面との間でワイヤ通し部材によって案内することにより、ワイヤの取り回しに滑車等を用いることがなく、スムーズな取り回しを行うことができる。
また、ワイヤ通し部品５を、内周側通し部材５１と室内側通し部材５２とによって構成し、縦枠１３に対して、内周面と室内面とから内周側通し部材５１と室内側通し部材５２を挿入して固定し、枠体の内部で内周側通し部材５１と室内側通し部材５２とを連結して設置しているので、設置後はぐらつくことなく、安定した取り付けを行うことができる。
さらに、縦枠に外気に連通している中空部を形成するとともに、ワイヤ通し部品５の少なくとも一部は縦枠の中空部内に臨ませ、その部位においてワイヤ通し部品のワイヤ通路の水を中空部内に導く排水経路を形成するので、ワイヤ通し部材内に水が浸入しても、すみやかに排水することができ、室内に水が浸入したり、ワイヤ部材が腐食することを抑制できる。
【００３０】
なお、本実施形態の建具においては、ワイヤ通し部品は、ワイヤ部材を縦枠の内周面から見付け面に案内するものであるが、ワイヤ部材の案内は内周面から見付け面への案内に限らず、見付け面同士や見込み面同士の案内や、その他縦枠の上面等へ案内するもの、即ち縦枠の一つの面から他の面へ案内するものであればどのようなものでもよい。
【符号の説明】
【００３１】
１        ：枠体
１１      ：上枠
１２      ：下枠
１３      ：左縦枠
１３１    ：左縦枠本体部
１３１ａ  ：貫通孔
１３２    ：室外側中空部
１３２ａ  ：貫通孔
１３３    ：右外壁部
１３４    ：気密材取付壁
１４      ：右縦枠
２        ：障子
２１      ：上框
２２      ：下框
２３      ：右縦框
２４      ：右縦框
４        ：ワイヤ部材
５        ：ワイヤ通し部品
５１      ：内周側通し部材
５１ａ    ：第１内周側通し部材
５１ｂ    ：第２内周側通し部材
５１１    ：固定板部
５１１ａ  ：ビス孔
５１２    ：円弧状ガイド部
５１２ａ  ：開口部
５１２ｂ  ：接合部
５１３    ：水平リブ部
５１４    ：第１円弧状ガイド部分
５１４ａ  ：挿入口
５１４ｂ  ：係止部
５１５    ：第２円弧状ガイド部分
５１５ａ  ：挿入部
５１５ｂ  ：連結首部
５２      ：室内側通し部材
５２ａ    ：第１室内側通し部材
５２ｂ    ：第２室内側通し部材
５２１    ：固定板部
５２１ａ  ：ビス孔
５２１ｂ  ：凹部
５２２    ：ワイヤ取出部
５２３    ：直線状ガイド部
５２３ａ  ：接合部
５２４    ：第１ワイヤ取出部
５２５    ：第１直線状ガイド部分
５２５ａ  ：挿入部
５２６    ：第２ワイヤ取出部
５２６ａ  ：取付片部
５２７    ：第２直線状ガイド部分
５２７ａ  ：挿入口
【図１】
0006487832.tif 000002
【図２】
0006487832.tif 000003
【図３】
0006487832.tif 000004
【図４】
0006487832.tif 000005
【図５】
0006487832.tif 000006
【図６】
0006487832.tif 000007